(57)【要約】【課題】  可搬性に優れ、測定体重の情報の秘匿性を向上させる体重測定システムを提供する。【解決手段】  体重測定システム１００Ａとして、体重情報を計測する可搬型体重計測ユニット２００Ａと；可搬型体重計測ユニット２００Ａの周辺に配置された場合に可搬型体重計測ユニット２００Ａと通信可能であり、体重情報に基づいて測定体重を算出して表示する可搬型情報処理装置３００と；を備える構成を採用する。ここで、可搬型体重計測ユニット２００Ａが、足先側立ち姿勢及び足後側立ち姿勢のいずれかの体重情報の計測時姿勢がとられた場合に、体重測定対象者の体重に応じた荷重が加わることが想定される計測領域に配置された面状荷重センサと；面状荷重センサによる計測結果を、可搬型情報処理装置３００へ送信する送信ユニットと；面状荷重センサ及び送信ユニットが配設された面状ベース部材とを備える構成を採用する。【選択図】  図１
2020125947.tif 000002
【特許請求の範囲】
【請求項１】
体重情報を計測する可搬型体重計測ユニットと；前記可搬型体重計測ユニットの周辺に配置された場合に前記可搬型体重計測ユニットと通信可能であり、前記体重情報に基づいて測定体重を算出して表示する可搬型情報処理装置と；を備える体重測定システムであって、
前記可搬型体重計測ユニットは、
体重測定対象者の足先側立ち姿勢及び足後側立ち姿勢のいずれかの前記体重情報の計測時姿勢がとられた場合に、前記体重測定対象者の体重に応じた荷重が加わることが想定される計測領域に配置された面状荷重センサと；
前記面状荷重センサによる計測結果を、前記体重情報として、前記可搬型体重計測ユニットの周辺に配置された前記可搬型情報処理装置へ送信する送信部と；
前記面状荷重センサ及び前記送信部が配設された面状ベース部材と；
を備えることを特徴とする体重測定システム。
【請求項２】
前記計測時姿勢は、片足立ちの場合の足先側立ち姿勢及び足後側立ち姿勢のいずれかである、ことを特徴とする請求項１に記載の体重測定システム。
【請求項３】
前記計測時姿勢は、両足立ちの場合の足先側立ち姿勢及び足後側立ち姿勢のいずれかである、ことを特徴とする請求項１に記載の体重測定システム。
【請求項４】
前記面状荷重センサは、
一方の足側の荷重が加わることが想定される第１計測領域に配置された第１面状荷重センサ部と；
他方の足側の荷重が加わることが想定される第２計測領域に配置された第２面状荷重センサ部と；を備え、
前記面状ベース部材は、
前記第１面状荷重センサ部及び前記送信部が配設された第１面状ベース部材と；
前記第２面状荷重センサ部が配設された第２面状ベース部材と；を備え、
前記第１面状ベース部材と前記第２面状ベース部材とを連結するとともに、前記第２面状荷重センサ部による計測結果の信号が介する、可撓性を有するフラットケーブル部材を更に備える、
ことを特徴とする請求項３に記載の体重測定システム。
【請求項５】
前記可搬型情報処理装置は、
前記可搬型体重計測ユニットから送信された前記体重情報を受信する受信部と；
前記体重情報に基づいて算出された体重の変動が所定値未満となった期間における前記算出された体重の平均値を測定体重として算出する算出部と；
前記体重測定対象者の表示要求に応じて、前記測定体重を表示する表示部と；
を備えることを特徴とする請求項１〜４のいずれか一項に記載の体重測定システム。
【請求項６】
前記可搬型情報処理装置は、
前記可搬型体重計測ユニットから送信された前記体重情報を受信する受信部と；
前記可搬型情報処理装置が配置されている位置情報であって、少なくとも高度情報を含む位置情報を計測する位置計測部と；
前記体重情報に基づいて算出された体重の高度補正を行い、前記高度補正がされた体重の変動が所定値未満となった期間における前記高度補正がされた体重の平均値を測定体重として算出する算出部と；
前記体重測定対象者の表示要求に応じて、前記測定体重を表示する表示部と；
を備えることを特徴とする請求項１〜４のいずれか一項に記載の体重測定システム。
【請求項７】
前記可搬型体重計測ユニットと前記可搬型情報処理装置との間の通信は、近距離無線通信である、ことを特徴とする請求項１〜６のいずれか一項に記載の体重測定システム。
【請求項８】
前記可搬型情報処理装置は、前記測定体重を、外部の体重管理サーバへ送信する遠隔通信部を更に備える、ことを特徴とする請求項１〜７のいずれか一項に記載の体重測定システム。
【発明の詳細な説明】
【技術分野】
【０００１】
本発明は、体重測定システムに関する。
【背景技術】
【０００２】
従来から、様々な体重計の技術が提案されている。こうした提案技術の一つとして、収納性に優れ、しかも自由な場所で体重を測定できる体重計の技術がある（特許文献１参照；以下、「従来例」という）。
【０００３】
かかる従来例の技術では、右足乗せ台と左足乗せ台とを有しており、当該右足乗せ台と当該左足乗せ台とを互いに回動自在に連結している体重計が開示されている。そして、当該体重計では、右足乗せ台と左足乗せ台と回動させることにより、右足乗せ台と左足乗せ台とを重ね合わせ可能としている。このため、従来例の技術によれば、体重測定時の形状から、右足乗せ台と左足乗せ台とを回動させて重ね合わせることにより、収納性に優れた形状に変形させることができるようになっている。
【０００４】
また、従来例の技術では、体重計の筐体に表示装置が固定されている。そして、体重の測定結果が、当該表示装置に表示されるようになっている。
【先行技術文献】
【特許文献】
【０００５】
【特許文献１】特開２００６−１７７８８０号公報
【発明の概要】
【発明が解決しようとする課題】
【０００６】
上述した従来例の技術は、可搬な体重計を実現するとの観点からは、優れた技術である。しかしながら、可搬性の向上の観点からは、改良の余地があると考えられる。
【０００７】
例えば、従来例の技術では、右足の足裏全体を右足乗せ台に乗せ、左足の足裏全体を左足乗せ台に乗せた姿勢（足裏全体両足立ち姿勢）、すなわち、立ち姿勢として最も安定した姿勢で体重を測定するようになっている。これに対して、人は、つま先立ち等の足先側立ち姿勢、又は、踵立ち等の足後側立ち姿勢であっても、体重測定のための立ち姿勢をとることができる。こうした足先側立ち姿勢又は足後側立ち姿勢を体重測定時の立ち姿勢を想定すれば、体重測定時の足裏における荷重面積を小さくすることができるので、装置の小型化が可能となり、可搬性を向上させることができると考えられる。
【０００８】
また、従来例の技術では、体重情報の計測部と表示部とが、同一筐体に収納されるようになっている。もし、表示部として、利用者が常時携帯していると考えられるスマートフォン等の演算機能及び表示機能を有する可搬型情報処理装置における表示部を利用することができれば、筐体に収納する必要がなくなるので、可搬性の向上を図ることができるとともに、個人情報の一種である利用者の体重の情報について利用者以外に対する秘匿性の向上を図ることができると考えられる。
【０００９】
本発明は、上記の事情を鑑みてなされたものであり、可搬性に優れ、体重の情報の秘匿性を向上させることができる新たな体重測定システムを提供することを目的とする。
【課題を解決するための手段】
【００１０】
本発明は、体重情報を計測する可搬型体重計測ユニットと；前記可搬型体重計測ユニットの周辺に配置された場合に前記可搬型体重計測ユニットと通信可能であり、前記体重情報に基づいて測定体重を算出して表示する可搬型情報処理装置と；を備える体重測定システムであって、前記可搬型体重計測ユニットは、体重測定対象者の足先側立ち姿勢及び足後側立ち姿勢のいずれかの前記体重情報の計測時姿勢がとられた場合に、前記体重測定対象者の体重に応じた荷重が加わることが想定される計測領域に配置された面状荷重センサと；前記面状荷重センサによる計測結果を、前記体重情報として、前記可搬型体重計測ユニットの周辺に配置された前記可搬型情報処理装置へ送信する送信部と；前記面状荷重センサ及び前記送信部が配設された面状ベース部材と；を備えることを特徴とする体重測定システムである。
【００１１】
この体重測定システムでは、可搬型体重計測ユニットの面状ベース部材に配設された面状荷重センサ上で、足先側立ち姿勢及び足後側立ち姿勢のいずれかの体重情報の計測時姿勢がとられた場合に、体重測定対象者の体重に応じた荷重が、当該面状荷重センサにより計測される。面状荷重センサによる計測結果は送信部へ送られる。
【００１２】
送信部は、当該計測結果を、体重情報として、周辺に配置された可搬型情報処理装置へ送信する。体重情報を受信すると、可搬型情報処理装置は、当該体重情報に基づいて測定体重を算出して表示する。ここで、可搬型情報処理装置としては、可搬型体重計測ユニットとの通信機能、演算機能及び表示機能が実装され、利用者が常時携帯していると想定される考えられるスマートフォン等の装置を採用できる。
【００１３】
したがって、本発明の体重測定システムによれば、可搬性に優れ、体重の情報の秘匿性を向上させることができる体重測定システムを実現することができる。
【００１４】
本発明の体重測定システムでは、前記計測時姿勢が、片足立ちの場合の足先側立ち姿勢及び足後側立ち姿勢のいずれかである、構成とすることができる。この場合には、可搬型体重計測ユニットの大きさを極小化することができ、可搬型体重計測ユニットの可搬性を極限にまで高めることができる。
【００１５】
また、本発明の体重測定システムでは、前記計測時姿勢が、両足立ちの場合の足先側立ち姿勢及び足後側立ち姿勢のいずれかである、構成とすることができる。この場合には、片足立ちの場合ほどは、可搬型体重計測ユニットの大きさを小さくできないが、片足立ちの場合よりも安定した姿勢を、計測時姿勢とすることができる。
【００１６】
ここで、前記面状荷重センサは、一方の足側の荷重が加わることが想定される第１計測領域に配置された第１面状荷重センサ部と；他方の足側の荷重が加わることが想定される第２計測領域に配置された第２面状荷重センサ部と；を備え、前記面状ベース部材は、前記第１面状荷重センサ部及び前記送信部が配設された第１面状ベース部材と；前記第２面状荷重センサ部が配設された第２面状ベース部材と；を備え、前記第１面状ベース部材と前記第２面状ベース部材とを連結するとともに、前記第２面状荷重センサ部による計測結果の信号が介する、可撓性を有するフラットケーブル部材を更に備える、構成とすることができる。この場合には、フラットケーブル部材の可撓性を利用して、第１面状ベース部材と第２面状ベース部材とが折り重なるように折り畳むことにより、可搬型体重計測ユニットの可搬性を高めることができる。
【００１７】
本発明の体重測定システムでは、前記可搬型情報処理装置が、前記可搬型体重計測ユニットから送信された前記体重情報を受信する受信部と；前記体重情報に基づいて算出された体重の変動が所定値未満となった期間における前記算出された体重の平均値を測定体重として算出する算出部と；前記体重測定対象者の表示要求に応じて、前記測定体重を表示する表示部と；を備える、構成とすることができる。この場合には、受信部が体重情報を受信するたびに、算出部が、当該受信した体重情報に基づいて、体重を算出する。引き続き、算出部が、算出された体重の変動が所定値未満となった期間における算出された体重の平均値を測定体重として算出する。そして、算出部が、算出された測定体重を、体重測定対象者の表示要求に応じて、表示部に表示させる。このため、体重測定対象者の体重を精度良く測定できるとともに、測定体重の秘匿性を大きく向上させることができる。
【００１８】
また、本発明の体重測定システムでは、前記可搬型情報処理装置が、前記可搬型体重計測ユニットから送信された前記体重情報を受信する受信部と；前記可搬型情報処理装置が配置されている位置情報であって、少なくとも高度情報を含む位置情報を計測する位置計測部と；前記体重情報に基づいて算出された体重の高度補正を行い、前記高度補正がされた体重の変動が所定値未満となった期間における前記高度補正がされた体重の平均値を測定体重として算出する算出部と；前記体重測定対象者の表示要求に応じて、前記測定体重を表示する表示部と；を備える、構成とすることができる。この場合には、受信部が体重情報を受信するたびに、算出部が、当該受信した体重情報に基づいて体重を算出する。引き続き、算出部が、位置計測部により計測された高度情報に基づいて、算出された体重の高度補正を行う。次に、算出部が、高度補正された体重の変動が所定値未満となった期間における算出された体重の平均値を測定体重として算出する。そして、算出部が、算出された測定体重を、体重測定対象者の表示要求に応じて、表示部に表示させる。このため、体重測定対象者の体重を非常に精度良く測定できるとともに、測定体重の秘匿性を大きく向上させることができる。
【００１９】
また、本発明の体重測定システムでは、前記可搬型体重計測ユニットと前記可搬型情報処理装置との間の通信が、近距離無線通信である、構成とすることができる。こうした近距離無線通信としては、Bluetooth（登録商標）通信、ＷｉＦｉ通信、赤外線通信等を採用することができる。この場合には、簡易な構成で、可搬型体重計測ユニットと可搬型情報処理装置との間の通信を実現することができる。
【００２０】
また、本発明の体重測定システムでは、前記可搬型情報処理装置が、前記測定体重を、外部の体重管理サーバへ送信する遠隔通信部を更に備える、構成とすることができる。この場合には、体重管理サーバが提供する測定体重に関するサービス（例えば、測定体重の時間的変化に基づく警告サービス等）の提供を受けることができる。
【発明の効果】
【００２１】
以上説明したように、本発明の体重測定システムによれば、可搬性に優れ、体重の情報の秘匿性を向上させることができる体重測定システムを提供することができるという効果を奏する。
【図面の簡単な説明】
【００２２】
【図１】本発明の第１実施形態に係る体重測定システムの構成を概略的に示すブロック図である。
【図２】図１の可搬型体重情報計測ユニットの外観を示す図である。
【図３】図２の可搬型体重情報計測ユニットの要素間の接続を示すブロック図である。
【図４】図１の可搬型情報処理装置の構成を示すブロック図である。
【図５】図４の処理制御ユニットが実行する測定体重算出処理を説明するためのフローチャートである。
【図６】図４の処理制御ユニットが実行する測定体重表示処理を説明するためのフローチャートである。
【図７】本発明の第２実施形態に係る体重測定システムの構成を概略的に示すブロック図である。
【図８】図７の可搬型体重情報計測ユニットの外観を示す図である。
【図９】図８の可搬型体重情報計測ユニットの要素間の接続を示すブロック図である。
【発明を実施するための形態】
【００２３】
以下、本発明の実施形態を、図面を参照して説明する。なお、図面において、同一又は同等の要素には同一の符号を付し、重複する説明は省略する。
【００２４】
［第１実施形態］
まず、本発明の第１実施形態について、図１〜図６を参照して説明する。
【００２５】
＜構成＞
図１には、第１実施形態に係る体重測定システム１００Ａの概略的な構成が示されている。この図１に示されるように、体重測定システム１００Ａは、可搬型体重計測ユニット２００Ａと、可搬型情報処理装置３００とを備えている。
【００２６】
ここで、可搬型体重計測ユニット２００Ａと、可搬型情報処理装置３００とは、近距離無線通信（例えば、Bluetooth（登録商標）通信）により、通信可能となっている。また、可搬型情報処理装置３００は、通信ネットワーク５００を介して、体重管理サーバ６００と通信可能となっている。なお、体重管理サーバ６００は、測定体重の時間的変化に基づく警告サービス等を利用者（体重測定対象者）に提供するようになっている。
【００２７】
《可搬型体重計測ユニット２００Ａの構成》
上記の可搬型体重計測ユニット２００Ａは、図２（Ａ）に示されるように、ベース部材２１０1，２１０2と、フラットケーブル部材２２０とを備えている。なお、図２（Ａ）に示される可搬型体重計測ユニット２００Ａの形状は、ベース部材２１０1とベース部材２１０2とがＸＹ面と平行な面上に展開された形状（以下、「展開形状」と呼ぶ）となっている。こうした展開形状は、＋Ｚ方向が略鉛直上方の方向となる場合には、可搬型体重計測ユニット２００Ａによる体重情報の計測時の形状となっている。
【００２８】
上記のベース部材２１０1は、平板状部材となっている。このベース部材２１０1には、面状荷重センサユニット２３０1と、送信ユニット２４０と、電源ユニット２５０とが配設されている。
【００２９】
上記の面状荷重センサユニット２３０1は、ベース部材２１０1の＋Ｚ方向側の表面に配設されている。この面状荷重センサユニット２３０1では、複数の面状の圧力センサが格子状に配列されている。かかる圧力センサの配列領域が体重測定対象者の体重に応じた荷重が加わることが想定される計測領域となっている。
【００３０】
第１実施形態では、当該計測領域の面積が、２２５ｃｍ2（＝１５ｃｍ×１５ｃｍ）程度とされている。このため、体重情報の計測時に、足先側立ち姿勢及び足後側立ち姿勢のいずれかの計測時姿勢がとられた場合に、体重測定対象の右足及び左足の一方の体重を支える足裏の領域を乗せることができるようになっている。
【００３１】
なお、面状荷重センサユニット２３０1、送信ユニット２４０及び電源ユニット２５０の機能、並びに、相互の接続関係については後述する。
【００３２】
上記のベース部材２１０2は、上述したベース部材２１０1と同様に、平板状部材となっている。このベース部材２１０2には、面状荷重センサユニット２３０2が配設されている。当該面状荷重センサユニット２３０2は、上述した面状荷重センサユニット２３０1と同様に構成されており、ベース部材２１０2の＋Ｚ方向側の表面に配設されている。そして、面状荷重センサユニット２３０2の計測領域には、体重情報の計測時に、足先側立ち姿勢及び足後側立ち姿勢のいずれかの計測時姿勢がとられた場合に、体重測定対象の右足及び左足の他方の体重を支える足裏の領域を乗せることができるようになっている。
【００３３】
なお、面状荷重センサユニット２３０2の機能、並びに、面状荷重センサユニット２３０2と、送信ユニット２４０及び電源ユニット２５０との接続関係については後述する。
【００３４】
上記のフラットケーブル部材２２０は、可撓性を有する材料から構成されている。このため、可搬型体重計測ユニット２００Ａは、図２（Ａ）に示されている「展開形状」から、図２（Ｂ）に示される「折畳形状（ベース部材２１０1とベース部材２１０2とが折り重ねられた形状）」へ変形可能となっているとともに、「折畳形状」から「展開形状」へ変形可能となっている。このため、可搬型体重計測ユニット２００Ａを、移動の際の携帯に適した「折畳形状」にして携帯し、移動先で体重測定をする際に「展開形状」とすることができるようになっている。
【００３５】
図３には、可搬型体重計測ユニット２００Ａにおけるベース部材２１０1，２１０2を除いた要素間の接続が示されている。図３に示されるように、電源ユニット２５０から、面状荷重センサユニット２３０1及び送信ユニット２４０に、ベース部材２１０1内の電気配線を介して、動作電力が供給されるようになっている。また、電源ユニット２５０から、面状荷重センサユニット２３０2に、ベース部材２１０1内の配線、フラットケーブル部材２２０及びベース部材２１０2内の配線を介して、動作電力が供給されるようになっている。
【００３６】
なお、電源ユニット２５０は、交換可能な電池（例えば、ボタン電池等）又は充電可能な蓄電池を備えて構成されている。
【００３７】
面状荷重センサユニット２３０1は、ベース部材２１０1内の電気配線を介して、計測結果を送信ユニット２４０へ送る。また、面状荷重センサユニット２３０2は、ベース部材２１０2内の配線、フラットケーブル部材２２０及びベース部材２１０1内の配線を介して、計測結果を送信ユニット２４０へ送る。
【００３８】
送信ユニット２４０は、可搬型情報処理３００との間で近距離無線通信を行う。送信ユニット２４０は、可搬型情報処理３００から送られた体重情報収集指令を受信すると、その時点における面状荷重センサユニット２３０1，２３０2による計測結果を収集する。そして、送信ユニット２４０は、収集された計測結果を、体重情報として可搬型情報処理３００へ送信する。
【００３９】
《可搬型情報処理装置３００の構成》
上記の可搬型情報処理装置３００としては、近距離無線通信機能を有するととともに、後述する測定体重算出処理及び測定体重表示処理のためのプログラムが実装されたスマートフォンを、好適に採用することができる。
【００４０】
可搬型情報処理装置３００は、図４に示されるように、処理制御ユニット３１０と、記憶ユニット３２０とを備えている。また、可搬型情報処理装置３００は、入力ユニット３３０と、位置検出ユニット３４０とを備えている。さらに、可搬型情報処理装置３００は、近距離無線通信ユニット３６０と、表示ユニット３７０と、遠隔無線ユニット３８０とを備えている。
【００４１】
上記の処理制御ユニット３１０は、可搬型情報処理装置３００の全体を統括制御する。この処理制御ユニット３１０は、中央処理装置（ＣＰＵ）及びその周辺回路を備えて構成されている。処理制御ユニット３１０が様々なプログラムを実行することにより、可搬型情報処理装置３００としての各種機能が実現されるようになっている。
【００４２】
なお、処理制御ユニット３１０が実行する処理には、測定体重算出処理及び測定体重表示処理が含まれている。これらの処理の詳細については、後述する。
【００４３】
上記の記憶ユニット３２０は、不揮発性の記憶素子を備えて構成されている。この記憶ユニット３２０には、可搬型情報処理装置３００で利用される様々な情報データが記憶される。記憶ユニット３２０には、処理制御ユニット３１０がアクセス可能となっている。
【００４４】
上記の入力ユニット３３０は、ストロークデバイスとしてのキー部を備えて構成されている。ここで、キー部としては、表示ユニット３７０の表示デバイスに設けられたタッチパネルを用いることができる。なお、キー部を有する構成に代えて、又は併用して、音声認識技術を利用して、音声にて入力する構成を採用することもできる。入力ユニット３３０への入力結果は、入力データとして、処理制御ユニット３１０へ送られる。
【００４５】
なお、利用者は、入力ユニット３３０を介して、処理制御ユニット３１０に対する様々な指定や指令を行うようになっている。
【００４６】
上記の位置検出ユニット３４０は、第１実施形態では、ＧＰＳ測位等を行って、可搬型情報処理装置３００の現在位置（高度情報を含む３次元位置情報）を検出する。位置検出ユニット３４０による検出結果は、処理制御ユニット３１０へ送られる。
【００４７】
上記の近距離無線通信ユニット３６０は、処理制御ユニット３１０による制御のもとで、可搬型体重計測ユニット２００Ａとの間で近距離無線通信を行う。すなわち、処理制御ユニット３１０は、近距離無線通信ユニット３６０を利用することにより、可搬型体重計測ユニット２００Ａとの間で通信を行うことができるようになっている。
【００４８】
上記の表示ユニット３７０は、液晶ディスプレイ等の表示デバイスを備えて構成されている。この表示ユニット３７０は、処理制御ユニット３１０から送られた表示画像データを受ける。そして、表示ユニット３７０は、当該表示画像データに対応する画像を表示する。
【００４９】
上記の遠隔通信ユニット３８０は、処理制御ユニット３１０による制御のもとで、通信ネットワーク５００を介して、体重管理サーバ６００との間で通信を行う。すなわち、処理制御ユニット３１０は、遠隔通信ユニット３８０を利用することにより、体重管理サーバ６００との間で通信を行うことができるようになっている。
【００５０】
＜動作＞
次に、上記のように構成された体重測定システム１００Ａの動作について、可搬型情報処理装置３００の処理制御ユニット３１０が実行する測定体重算出処理及び測定体重表示処理に主に着目して説明する。
【００５１】
《測定体重算出処理》
まず、処理制御ユニット３１０が実行する測定体重算出処理について説明する。
【００５２】
なお、体重測定対象者は、上述した計測時姿勢をとっており、可搬型体重計測ユニット２００Ａにおける計測領域（第１実施形態では、２つの計測領域）に体重測定対象者の体重に応じた荷重がかかっているものとする。また、体重測定対象者は、可搬型情報処理装置３００の入力ユニット３３０を利用した入力操作を行うことができるようになっているものとする。
【００５３】
測定体重算出処理に際しては、図５に示されるように、まず、ステップＳ１１において、処理制御ユニット３１０が、体重測定対象者の入力操作に応じて入力ユニット３３０から送られた体重測定開始指令を受けたか否かを判定する。ステップＳ１１における判定の結果が否定的であった場合（ステップＳ１１：Ｎ）には、ステップＳ１１の処理が繰り返される。
【００５４】
体重測定開始指令を受け、ステップＳ１１における判定の結果が肯定的となると（ステップＳ１１：Ｙ）、処理はステップＳ１２へ進む。このステップＳ１２では、処理制御ユニット３１０が、体重情報収集指令を可搬型体重計測ユニット２００Ａへ送信する。
【００５５】
なお、可搬型体重計測ユニット２００Ａでは、送信ユニット２４０が当該体重情報収集指令を受信する。そして、送信ユニット２４０は、上述したように、その時点における面状荷重センサユニット２３０1，２３０2による計測結果を収集し、収集された計測結果を、体重情報として可搬型情報処理３００へ送信する。
【００５６】
ステップＳ１２の処理が終了すると、処理制御ユニット３１０が、ステップＳ１３の処理を開始する。このステップＳ１３では、処理制御ユニット３１０が、可搬型体重計測ユニット２００Ａから送られた体重情報を受信したか否かを判定する。ステップＳ１３における判定の結果が否定的であった場合（ステップＳ１３：Ｎ）には、ステップＳ１３の処理が繰り返される。
【００５７】
体重情報を受信し、ステップＳ１３における判定の結果が肯定的となると（ステップＳ１３：Ｙ）、処理はステップＳ１４へ進む。このステップＳ１４では、処理制御ユニット３１０が、直前のステップＳ１３で受信した体重情報に基づいて、暫定体重を算出する。
【００５８】
次に、ステップＳ１５において、処理制御ユニット３１０が、暫定体重が安定しているか否かを判定する。第１実施形態では、処理制御ユニット３１０は、直近の所定期間長（例えば、２秒間）において、算出された暫定体重の変動が所定値未満であるか否かを判定することにより、暫定体重が安定しているか否かを判定するようになっている。
【００５９】
ステップＳ１５における判定の結果が否定的であった場合（ステップＳ１５：Ｎ）には、処理はステップＳ１２へ戻る。そして、ステップＳ１５における判定の結果が肯定的となるまで、ステップＳ１２〜Ｓ１５の処理が繰り返される。
【００６０】
ステップＳ１５における判定の結果が肯定的となると（ステップＳ１５：Ｙ）、処理はステップＳ１６へ進む。このステップＳ１６では、処理制御ユニット３１０は、暫定体重の安定期間における平均値を算出する。
【００６１】
次いで、ステップＳ１７において、処理制御ユニット３１０が、位置検出ユニット３４０により検出されている現在位置に含まれる高度情報を取得する。引き続き、ステップ１８において、処理制御ユニット３１０が、ステップＳ１６において算出された平均値に高度補正を施した測定体重を算出する。
【００６２】
次に、ステップＳ１９において、処理制御ユニット３１０が、測定体重及び測定日時を含む情報を測定体重の情報として生成する。そして、処理制御ユニット３１０は、生成された測定体重の情報を記憶ユニット３２０に格納するともに、体重管理サーバ６００へ向けて送信する。
【００６３】
こうしてステップＳ１９の処理が終了すると、処理はステップＳ１１へ戻る。以後、ステップＳ１１〜Ｓ１９の処理が繰り返される。この結果、利用者による体重測定開始指令が行われるたびに、体重測定対象者の体重が測定される。
【００６４】
《測定体重表示処理》
次に、処理制御ユニット３１０が実行する測定体重表示処理について説明する。
【００６５】
測定体重表示処理に際しては、図６に示されるように、まず、ステップＳ２１において、処理制御ユニット３１０が、体重測定対象者の入力操作に応じて入力ユニット３３０から送られた測定体重の表示要求を受けたか否かを判定する。ステップＳ２１における判定の結果が否定的であった場合（ステップＳ２１：Ｎ）には、ステップＳ２１の処理が繰り返される。
【００６６】
なお、第１実施形態では、測定体重の表示要求には、過去の測定体重に関する期間指定ができるようになっている。
【００６７】
測定体重の表示要求を受け、ステップＳ２１における判定の結果が肯定的となると（ステップＳ２１：Ｙ）、処理はステップＳ２２へ進む。このステップＳ２２では、処理制御ユニット３１０が、測定体重の表示要求に対応する測定体重の情報を記憶ユニット３２０から読み取る。なお、第１実施形態では、測定体重の表示要求に期間指定が含まれていない場合には、処理制御ユニット３１０は、最新に生成された測定体重の情報を記憶ユニット３２０から読み取る。
【００６８】
次に、処理制御ユニット３１０は、読み取られた測定体重の情報を表示するための表示画像データを生成する。引き続き、処理制御ユニット３１０は、生成された表示画像データを表示ユニット３７０へ送る。この結果、表示ユニット３７０には、測定体重の表示要求に応じた測定体重の情報が表示される。
【００６９】
こうしてステップＳ２２の処理が終了すると、処理はステップＳ２１へ戻る。以後、ステップＳ２１，Ｓ２２の処理が繰り返される。この結果、利用者による測定体重の表示要求が行われるたびに、体重測定対象者の測定体重の情報が、表示ユニット３７０に表示される。
【００７０】
以上説明したように、第１実施形態の体重測定システム１００Ａとして、体重情報を計測する可搬型体重計測ユニット２００Ａと；可搬型体重計測ユニット２００Ａの周辺に配置された場合に可搬型体重計測ユニット２００Ａと通信可能であり、体重情報に基づいて測定体重を算出して表示する可搬型情報処理装置３００と；を備える構成を採用している。そして、可搬型体重計測ユニット２００Ａが、体重測定対象者の足先側立ち姿勢及び足後側立ち姿勢のいずれかの体重情報の計測時姿勢がとられた場合に、体重測定対象者の体重に応じた荷重が加わることが想定される計測領域に配置された面状荷重センサユニット２１０1，２１０2と；面状荷重センサユニット２１０1，２１０2による計測結果を、体重情報として、可搬型体重計測ユニット２００Ａの周辺に配置された可搬型情報処理装置３００へ送信する送信ユニット２４０と；面状荷重センサユニット２１０1及び送信ユニット２４０が配設された面状ベース部材２１０1と；面状荷重センサユニット２１０2が配設された面状ベース部材２１０2と；を備える構成を採用している。したがって、第１実施形態の体重測定システム１００Ａによれば、可搬性に優れ、体重の情報の秘匿性を向上させることができる体重測定システムを実現することができる。
【００７１】
また、体重測定システム１００Ａでは、面状ベース部材２１０1と面状ベース部材２１０2とが、可撓性を有するフラットケーブル部材２２０により連結されている。このため、フラットケーブル部材２２０の部分を利用して、面状ベース部材２１０1と面状ベース部材２１０2とが折り重なるように折り畳むことにより、可搬型体重計測ユニット２００Ａの可搬性を高めることができる。
【００７２】
また、体重測定システム１００Ａでは、可搬型情報処理装置３００が、体重情報に基づいて算出された暫定体重の変動が所定値未満となった期間における暫定体重の平均値を算出する。このため、体重測定対象者の体重を精度良く測定できる。
【００７３】
また、体重測定システム１００Ａでは、可搬型情報処理装置３００が、上述の暫定体重の平均値に高度補正を施して算出された体重を測定体重として採用する。このため、体重測定対象者の体重を非常に精度良く測定できる
【００７４】
また、体重測定システム１００Ａでは、可搬型情報処理装置３００で算出された測定体重を、体重測定対象者の表示要求に応じて、表示ユニット３７０に表示させる。このため、測定体重の秘匿性を大きく向上させることができる。
【００７５】
また、体重測定システム１００Ａでは、可搬型体重計測ユニット２００Ａと可搬型情報処理装置３００との間の通信を、近距離無線通信としている。このため、簡易な構成で、可搬型体重計測ユニット２００Ａと可搬型情報処理装置３００との間の通信を実現することができる。
【００７６】
また、体重測定システム１００Ａでは、可搬型情報処理装置３００が、測定体重の情報を、外部の体重管理サーバ６００へ送信する。このため、体重管理サーバ６００が提供する測定体重に関するサービス（例えば、測定体重の時間的変化に基づく警告サービス等）の提供を受けることができる。
【００７７】
［第２実施形態］
次に、本発明の第２実施形態について、図７〜図９を主に参照して説明する。
【００７８】
＜構成＞
図７には、第２実施形態に係る体重測定システム１００Ｂの概略的な構成が示されている。この図７に示されるように、体重測定システム１００Ｂは、上述した第１実施形態の体重測定システム１００Ａと比べて、可搬型体重計測ユニット２００Ａに代えて可搬型体重計測ユニット２００Ｂを備える点が異なっている。
【００７９】
上記の可搬型体重計測ユニット２００Ｂは、図８に示されるように、ベース部材２１０と、ベース部材２１０に配設された面状荷重センサユニット２３０と、送信ユニット２４０と、電源ユニット２５０とが配設されている。ここで、ベース部材２１０は、上述したベース部材２１０1と同様に構成されている。また、面状荷重センサユニット２３０は、上述した面状荷重センサユニット２３０1と同様に構成されている。
【００８０】
なお、体重測定システム１００Ｂでは、片足立ちの場合の足先側立ち姿勢及び足後側立ち姿勢のいずれかを計測時姿勢として想定し、当該計測時姿勢がとられた場合の体重測定対象者の体重を測定するようになっている。
【００８１】
図９には、可搬型体重計測ユニット２００Ｂにおけるベース部材２１０を除いた要素間の接続が示されている。図９に示されるように、電源ユニット２５０から、面状荷重センサユニット２３０及び送信ユニット２４０に、ベース部材２１０内の電気配線を介して、動作電力が供給されるようになっている。また、面状荷重センサユニット２３０は、ベース部材２１０内の電気配線を介して、計測結果を送信ユニット２４０へ送るようになっている。
【００８２】
送信ユニット２４０は、上述したように、可搬型情報処理３００との間で近距離無線通信を行う。送信ユニット２４０は、可搬型情報処理３００から送られた体重情報収集指令を受信すると、その時点における面状荷重センサユニット２３０による計測結果を収集する。そして、送信ユニット２４０は、収集された計測結果を、体重情報として可搬型情報処理３００へ送信する。
【００８３】
＜動作＞
体重測定システム１００Ｂでは、可搬型情報処理装置３００が、第１実施形態の場合と同様の処理を実行して、上述した片足立ちの場合の計測時姿勢がとられたときの体重情報に基づいて、測定体重を算出し、当該測定体重及び測定日時を含む測定体重の情報を生成する。そして、可搬型情報処理装置３００は、生成された測定体重の情報を、可搬型情報処理装置３００内の上述した記憶ユニット３２０に格納するとともに、体重管理サーバ６００へ送信する。また、可搬型情報処理装置３００は、利用者の表示要求に応じて、測定体重の情報を表示ユニット３３０に表示する。
【００８４】
以上説明したように、第２実施形態の体重測定システム１００Ｂによれば、上述した第１実施形態の体重測定システム１００Ａよりも簡素な構成を採用しつつ、第１実施形態の場合と同様の効果を奏することができる。
【００８５】
［実施形態の変形］
本発明は、上記の実施形態に限定されるものではなく、様々な変形が可能である。
【００８６】
例えば、上記の実施形態では、高度補正をして測定体重を算出するようにしたが、高度補正の処理をしないようにすることができる。
【００８７】
また、上記の実施形態では、測定体重の情報を体重管理サーバへ送信するようにしたが、当該送信を行わないようにすることができる。
【産業上の利用可能性】
【００８８】
以上説明したように、本発明の体重測定システムは、体重測定対象者の体重を測定する際に適用することができる。
【符号の説明】
【００８９】
１００Ａ，１００Ｂ  …  体重測定システム
２００Ａ，２００Ｂ  …  可搬型体重計測ユニット
２１０              …  ベース部材（面状ベース部材）
２１０1             …  ベース部材（第１面状ベース部材）
２１０2             …  ベース部材（第２面状ベース部材）
２２０              …  フラットケーブル部材
２３０              …  面状荷重センサユニット（面状荷重センサ）
２３０1             …  面状荷重センサユニット（第１面状荷重センサ部）
２３０2             …  面状荷重センサユニット（第２面状荷重センサ部）
２４０              …  送信ユニット（送信部）
３００              …  可搬型情報処理装置
３１０              …  処理制御ユニット（算出部）
３４０              …  位置検出ユニット（位置計測部）
３６０              …  近距離無線通信ユニット（受信部）
３７０              …  表示ユニット（表示部）
３８０              …  遠隔通信ユニット（遠隔通信部）
６００              …  体重管理サーバ
【図１】
2020125947.tif 000003
【図２】
2020125947.tif 000004
【図３】
2020125947.tif 000005
【図４】
2020125947.tif 000006
【図５】
2020125947.tif 000007
【図６】
2020125947.tif 000008
【図７】
2020125947.tif 000009
【図８】
2020125947.tif 000010
【図９】
2020125947.tif 000011